(57)【要約】【課題】  管電圧の異なる放電灯に取替えても、その度に管電圧を検知することにより制御装置の誤動作を防止し、放電灯点灯装置の信頼性を向上させる。【解決手段】  放電灯４００を備える。該放電灯４００を点灯するインバータ回路２００を備える。前記インバータ回路２００を制御する制御装置部３００を備える。前記放電灯４００の管電圧を検知する管電圧検知手段５００を備える。前記制御装置部３００は前記管電圧検知手段５００により検知した前記放電灯４００の管電圧を監視する管電圧監視部３５０を備える。前記管電圧監視部３５０は前記放電灯４００が始動し安定した後の基準電圧を記憶する基準電圧保持手段３５２と、その後の管電圧を記憶する現在管電圧保持手段３５１と前記現在管電圧／前記基準管電圧の比が所定値を越えたときに前記インバータ回路２００の動作を停止させる強制消灯手段３５３を備える。所定の操作がなされたときに前記基準電圧保持手段３５２の基準電圧をリセットするリセット手段６００を具備する。【選択図】    図１
2006059783.tif 000002
【特許請求の範囲】
【請求項１】
放電灯を備え、該放電灯を点灯するインバータ回路を備え、前記インバータ回路を制御する制御装置部を備え、前記放電灯の管電圧を検知する管電圧検知手段を備え、前記制御装置部は前記管電圧検知手段により検知した前記放電灯の管電圧を監視する管電圧監視部を備え、前記管電圧監視部は前記放電灯が始動し安定した後の基準電圧を記憶する基準電圧保持手段と、その後の管電圧を記憶する現在管電圧保持手段と前記現在管電圧／前記基準管電圧の比が所定値を越えたときに前記インバータの動作を停止させる強制消灯手段を備え、所定の操作がなされたときに前記基準電圧保持手段の基準電圧をリセットするリセット手段を具備することを特徴とする放電灯点灯装置。
【発明の詳細な説明】
【技術分野】
【０００１】  本発明は、放電灯を点灯するインバータ回路を備え、前記放電灯の管電圧を検知する管電圧検知手段を備え、前記放電灯の寿命時の管電圧を前記管電圧検知手段により検知し前記インバータ回路の動作を停止させる制御装置部を備えた放電灯点灯装置に関するものである。
【背景技術】
【０００２】  従来の放電灯点灯装置は、放電灯を備え、該放電灯を点灯するインバータ回路を備え、前記インバータ回路を制御する制御装置部を備え、前記放電灯の管電圧を検知する管電圧検知手段を備え、前記制御装置部は前記管電圧検知手段により検知した前記放電灯の管電圧が所定の値を超えたときに前記インバータの動作を停止させる強制消灯手段を備えたものである。
【発明の開示】
【発明が解決しようとする課題】
【０００３】  前記基準電圧は各放電灯装置固有の一定値であるため、管電圧の異なる放電灯を点灯させると制御回路が誤動作してしまう。
本発明の目的は、管電圧の異なる放電灯に取替えても、その度に管電圧を検知することにより制御装置の誤動作を防止し、放電灯点灯装置の信頼性を向上させることを目的とする。
【課題を解決するための手段】
【０００４】  本発明は、放電灯を点灯するインバータ回路を備え、前記インバータ回路を制御する制御装置部を備え、前記放電灯の管電圧を検知する管電圧検知手段を備え、前記制御装置部は前記管電圧検知手段により検知した前記放電灯の管電圧を監視する管電圧監視部を備え、前記管電圧監視部は前記放電灯が始動し安定した後の基準電圧を記憶する基準電圧保持手段と、その後の管電圧を記憶する現在管電圧保持手段と前記現在管電圧／前記基準管電圧の比が所定値を越えたときに前記インバータの動作を停止させる強制消灯手段を備える。
本発明においては、以上の手段を用いて異常管電圧を検知しインバータの動作を停止させる。
【発明の効果】
【０００５】  本発明によれば、管電圧の異なる放電灯に取替えても、その度に管電圧を検知することにより制御装置の誤動作を防止し、放電灯点灯装置の信頼性を向上させることができる。
【発明を実施するための最良の形態】
【０００６】  図１および図２を用いて、本発明の実施形態について説明する。図示装置は、交流電源１００電圧を用い、放電灯４００を高周波点灯させるインバータ回路２０を備え、前記インバータ回路を制御する制御装置部３００を備える。
前記制御装置部３００は管電圧検知手段５００により検出した前記放電灯４００の管電圧を監視する管電圧監視部３５０を含む。
前記管電圧監視部３５０は前記放電灯４００が始動し安定した後の基準電圧を記憶する基準電圧保持手段３５２と、その後の管電圧を記憶する現在管電圧保持手段３５１と前記現在管電圧／前記基準管電圧の比が所定値を越えたときに前記インバータの動作を停止させる強制消灯手段３５３を含む。
前記放電灯４００が安定した後の管電圧を前記管電圧検知手段５００により検知し、前記基準電圧保持手段３５２により基準電圧として設定する。
その後は、前記現在管電圧保持手段３５１により管電圧を随時検知し、現在管電圧／基準電圧の比が一定値を越えた際には、前記強制消灯手段３５３により強制消灯信号を発信し、インバータの動作を停止する。【０００７】  図２図示のフローについて説明する。前記フローは前記管電圧監視部３５０のシーケンスである。以下、この内容を箇条書きにして説明する。
放電灯を点灯させる（ブロック９０１）。前記放電灯の安定を見るタイマーを初期状態Ｔ０＝０にセットし、タイマーＴ０のカウントを開始する。（ブロック９０２）。
前記放電灯が安定する時間Ｔ１とタイマーＴ０を比較しタイマーＴ０が放電灯が安定する時間Ｔ１より大きくなるまでタイマーＴ０のカウントを続ける。（ブロック９０３）。
タイマーＴ０がＴ１より大きくなる、すなわち、放電灯が安定した時に管電圧検知手段による検知値を現在管電圧保持手段に現在管電圧Ｖ１としてセットする（ブロック９０４）。基準電圧保持手段の基準電圧Ｖ０が０か否かを判定する（ブロック９０５）。
基準電圧Ｖ０が０の場合は、現在管電圧保持手段の現在管電圧Ｖ１を基準電圧保持手段の基準電圧Ｖ０としてセットする（ブロック９０６）。
放電灯の寿命末期状態の管電圧は基準電圧Ｖ０のＫ倍となる。基準電圧Ｖ０が０でない場合は、現在管電圧Ｖ１と基準電圧Ｖ０のＫ倍を比較する（ブロック９０７）。
現在管電圧Ｖ１が基準電圧Ｖ０のＫ倍より小さい場合は、放電灯が寿命末期ではないと判断できるので、ブロック９０４→９０５→９０７→９０４→…のループを現在管電圧Ｖ１が基準電圧Ｖ０のＫ倍になるまで繰り返す。
現在管電圧Ｖ１が基準電圧Ｖ０のＫ倍より大きい場合は、放電灯が寿命末期状態にあるので、放電灯及びインバータ回路保護のために、強制消灯手段から共生消灯信号を出力しインバータ回路の動作を停止させる（ブロック９０８）。【０００８】  図１図示のリセット手段６００の説明を補足する。前記リセット手段６００は、前記放電灯４００を新規の放電灯に交換する時のみ、前記基準電圧保持手段３５２の基準電圧を０にリセットする。
リセット手段６００をオンするとリセット信号が出力される。前記リセット信号は短時間の信号で、リセット手段６００をオフし、再度リセット手段６００をオンするまでは出力されない。
【図面の簡単な説明】
【０００９】
【図１】本発明装置の回路図である。
【図２】その動作説明用フローチャート図である。
【符号の説明】
【００１０】１００：交流電源
２００：インバータ回路
３００：制御装置部
３５０：管電圧監視部
３５１：現在管電圧保持手段
３５２：基準電圧保持手段
３５３：強制消灯手段
４００：放電灯
５００：管電圧検知手段
６００：リセット手段
【図１】
2006059783.tif 000003
【図２】
2006059783.tif 000004